(57)【要約】【課題】店舗等のサービス・情報を得たい会員が手軽にかつ正確に電子メールアドレスを伝達させることができる携帯情報端末を利用した自動情報送信システムの提供を目的とする。【解決手段】会員組織の会員データベース１と、携帯情報端末２との接続部を有し携帯情報端末に電子メールを自動送信させるプログラムを備える自動通信実行手段３及び会員ＩＤを入力するカードリーダー５を備える自動ＩＤ送信装置７と、前記プログラムに送信先アドレスが設定されかつ会員データベースと接続するターミナルサーバー８とを備える。自動ＩＤ送信装置は会員ＩＤを電子メールとして携帯情報端末からターミナルサーバーに電子メール送信させ、ターミナルサーバーは受信した電子メールからメールアドレスと会員ＩＤを記録し、入手した会員ＩＤを用いて会員データベースから得た会員のデータに基づきその会員が要望する情報等を電子メール送信する。【選択図】　図１
2004038709.tif 000002
【特許請求の範囲】
【請求項１】
店舗の顧客等を会員としてなる会員組織を有する会員組織体は、
会員情報を記録した会員情報データベースと、
電子メールの送受信が可能な携帯情報端末との接続インターフェースを有し該携帯情報端末に電子メール送信を自動実行させるプログラムを備える自動通信実行手段及び前記携帯情報端末の所有者が加入する会員組織の会員ＩＤを入力するＩＤ入力手段を備える自動ＩＤ送信装置と、
該自動ＩＤ送信装置に接続した携帯情報端末が自動送信する電子メールを受信すべく前記プログラムに送信先アドレスが設定されかつ前記会員データベースと接続するターミナルサーバーとを備え、
会員が自己の携帯情報端末を前記自動ＩＤ送信装置の自動通信実行手段に接続しかつ会員ＩＤを前記ＩＤ入力手段に入力することで、前記自動ＩＤ送信装置はこの会員ＩＤを電子メールのデータとして前記携帯情報端末から前記ターミナルサーバーに電子メール送信させ、該ターミナルサーバーは受信した電子メールからメールアドレスと会員ＩＤを記録するとともに、入手した会員ＩＤを用いて前記会員情報データベースから得た当該会員のデータに基づきその会員の要望する情報等を会員の携帯情報端末に電子メール送信することを特徴とする携帯情報端末を利用した自動情報送信システム。
【請求項２】
自動ＩＤ送信装置には暗証番号を入力する暗証入力手段を備えることを特徴とする請求項１記載の携帯情報端末を利用した自動情報送信システム。
【発明の詳細な説明】
【０００１】
【発明の属する技術分野】
本発明は、店舗の顧客等を会員としてなる会員組織に属する会員が、携帯電話機等の携帯情報端末の電子メールシステムを利用して特定のサービス・情報等を入手するシステムに係り、特に店頭で申込用紙にメールアドレスを記入したり、その都度Ｗｅｂサイトにアクセスして申し込みをしたりすることなく、手軽にサービス・情報の受信申し込みを設定することができる携帯情報端末を利用した自動情報送信システムに関する。
【０００２】
【従来の技術】
従来、会員組織に属する会員、若しくはこれから会員になろうとする人が、その店舗等が提供している各種サービス・情報を入手する手段としては、最近はパソコン、携帯電話機、携帯情報端末によるインターネットを用いることが多く行われている。
【０００３】
そして、会員がその店舗等に関するインターネットのＷｅｂサイトにアクセスしてクーポン券等のサービスを得たり、最新の情報を得たりするだけでなく、タイムリーな情報を店舗側から積極的に会員に知らせたり、店舗で利用するクーポンを発行させたりするために即時効果のある電子メールによる情報の配信も行われている。
【発明が解決しようとする課題】
【０００４】
しかしながら、会員組織が会員の入会当初から会員の電子メールアドレスを取得しているとは限らず、また電子メールアドレスは必ずしも恒久的でなく変更されやすいことから、電子メールを利用するサービス・情報の提供のためには電子メールアドレスを新たに入手することが必要であった。このため、店舗等のサービス・情報を得たい会員は、その都度店頭で電子メールアドレスを申込用紙に記入したり、店舗等のＷｅｂサイトにアクセスして電子メールアドレスを入力したりする必要があり、このことは手軽に申し込みをしたい人にとっては躊躇しかねない障壁となっていた。さらに、手入力によるアドレス記入では誤記も発生しかねなかった。
また店舗等の顧客を会員としてなる会員組織を有する会員組織体にあっても、会員の嗜好等に適合したタイムリーな情報や、店舗利用のクーポンを会員に送り、販売促進、宣伝広告、会員情報の収集等の各種効果を発揮せんとしても、会員の電子メールアドレス、すなわち会員ＩＤと連携する電子メールアドレスを容易かつ確実に取得することは困難であった。
【０００５】
そこで本発明は、店舗等のサービス・情報を得たい会員が手軽にかつ正確に自己の電子メールアドレスを会員組織に伝達することができ、これにより会員は所望するサービス・情報を、従来の煩わしい申し込み手続をすることなく容易かつ確実に得ることができ、また店舗等にあっては会員の嗜好等に適合するタイムリーな情報や、店舗利用のクーポンを会員の携帯情報端末に直接電子メール送信することで、人手とコストを大幅に省いた販売促進を効率よく実施することができるる携帯情報端末を利用した自動情報送信システムの提供を目的とする。
【０００６】
【課題を解決するための手段】
上記目的を達成するため、本発明の携帯情報端末を利用した自動情報送信システムは、店舗の顧客等を会員としてなる会員組織を有する会員組織体は、会員情報を記録した会員情報データベースと、電子メールの送受信が可能な携帯情報端末との接続インターフェースを有し該携帯情報端末に電子メール送信を自動実行させるプログラムを備える自動通信実行手段及び前記携帯情報端末の所有者が加入する会員組織の会員ＩＤを入力するＩＤ入力手段を備える自動ＩＤ送信装置と、該自動ＩＤ送信装置に接続した携帯情報端末が自動送信する電子メールを受信すべく前記プログラムに送信先アドレスが設定されかつ前記会員データベースと接続するターミナルサーバーとを備え、会員が自己の携帯情報端末を前記自動ＩＤ送信装置の自動通信実行手段に接続しかつ会員ＩＤを前記ＩＤ入力手段に入力することで、前記自動ＩＤ送信装置はこの会員ＩＤを電子メールのデータとして前記携帯情報端末から前記ターミナルサーバーに電子メール送信させ、該ターミナルサーバーは受信した電子メールからメールアドレスと会員ＩＤを記録するとともに、入手した会員ＩＤを用いて前記会員情報データベースから得た当該会員のデータに基づきその会員の要望する情報等を会員の携帯情報端末に電子メール送信することを特徴とするものである。
【０００７】
また、自動ＩＤ送信装置には暗証番号を入力する暗証入力手段を備えることを特徴とするものである。
【０００８】
【発明の実施の形態】
以下、図１〜図５に基づき本発明の携帯情報端末を利用した自動情報送信システムの第１の実施例を説明する。本実施例にあっては、店舗の顧客等を会員としてなる会員組織（若しくは登録ユーザー制度）を有する会員組織体において、予め会員情報データベース１により、会員に関する氏名、性別、年齢（生年月日）、住所、就学校名・勤務先名、各種嗜好、購買（利用）履歴などの各種情報を集積し管理している。一方、その会員組織体の各店舗にあっては、電子メールの送受信が可能な携帯電話機やＰＤＡ等の携帯情報端末２における外部接続端子と接続する接続部を有し、この携帯情報端末２に電子メール送信を自動実行させるプログラムを備える自動通信実行手段３と、携帯情報端末２の使用者が加入する会員組織の会員カード４に記録されている会員ＩＤを入力するＩＤ入力手段であるカードリーダー５と、自動通信実行手段３とカードリーダー５を接続し、カードリーダー５が読み込んだ会員ＩＤを電子メールデータとして送信させるべく自動通信実行手段３に送る制御部６とを備えてなる自動ＩＤ送信装置７を設置する。また、自動ＩＤ送信装置７に接続した携帯情報端末２が自動送信する電子メールを受信すべく、プログラムにその送信先アドレスが設定されかつ会員情報データベース１と接続するターミナルサーバー８が会員組織に配置される。
【０００９】
この会員組織（若しくは登録ユーザー制度）を有する店舗の例としては、レンタルビデオ店、レコード店、ゲーム店、書店、ＤＰＥ店、ファーストフード店、ファミリーレストラン等の飲食店、アスレティッククラブ、エステティックサロン、ガソリンスタンド、カルチャースクール、各種金融機関、百貨店、自動車ディーラー、ホテル・旅館、学校・教育施設、医療機関、放送・通信業など単独店及びチェーン展開しているあらゆる業態がある。
【００１０】
そして、このような構成からなる本発明の携帯情報端末を利用した自動データ通信システムの流れとしては、図２に示すごとく、まず会員は自らの携帯情報端末２の外部接続端子に、店舗等に設置している自動ＩＤ送信装置７の自動通信実行手段３のコネクタを接続する。
（このシステムの前提条件としては、店舗等のサービス・情報を得たい会員が、自己の携帯情報端末を自動ＩＤ送信装置７に接続することで自動的に電子メールがターミナルサーバー８に送信され、これにより会員の携帯電話番号、電子メールアドレス、会員ＩＤが記録されるとともに、そのデータに基づき店舗等から会員の携帯情報端末に電子メールでサービス・情報が送信されるというシステムであることの承認を、予め得るものである。）
【００１１】
自動通信実行手段３は、携帯情報端末２に接続されることで、内蔵するプログラムを起動し、携帯情報端末を機能させるマクロ命令が開始する。
【００１２】
次に会員は、会員ＩＤのデータが記録された自己の会員カード４をカードリーダー５に通すことで、カードリーダー５は会員ＩＤのデータを読み取り制御部６に送る。制御部６は、会員ＩＤのデータを暗号化し、これを自動通信実行手段３に送る。自動通信実行手段３は、暗号化された会員ＩＤのデータを電子メールの内容として、携帯情報端末２からターミナルサーバー８に対して送信させるものである。
【００１３】
ターミナルサーバー８は、この携帯情報端末２からの電子メールを受信すると、メールで送信されてきた暗号化された会員ＩＤを解読して記録するとともに、送信のログデータとして得られる電話番号と電子メールアドレスをも取得し記録する。
【００１４】
そしてターミナルサーバー８は、図５に示すごとく、会員の要望する情報やクーポン等のサービスを電子メールとして会員の携帯情報端末２に送信するものである。さらにターミナルサーバー８は、得られた会員の会員ＩＤを用いて、接続する会員情報データベース１から会員の各種情報を入手することができることから、例えばその会員の嗜好等に適合する店舗のサービス（クーポン券等）や情報を選択し、適宜これを電子メールとして会員の携帯情報端末２に送信することもできるものである。
【００１５】
また、本発明の携帯情報端末を利用した自動情報送信システムの第２の実施例としては、図６に示すごとく、自動ＩＤ送信装置１０は携帯情報端末２に設定されている暗証番号を入力するためのテンキー・パッド９を制御部６に接続するものである。これは、自動通信実行手段３を接続することで携帯情報端末に装備されている機能を実行する際に、その機種によっては予めその携帯情報端末に設定されている暗証番号の入力を求める場合があるために必要となるものである。すなわち、会員が会員ＩＤのデータが記録された自己の会員カード４をカードリーダー５に通し、会員ＩＤのデータはカードリーダー５に読み取られて制御部５に送られ、暗証番号の入力待ち状態となる。次にテンキー・パッド９で暗証番号（例えば４桁の数字）を入力することで、メール転送処理のマクロ命令を実行する。これにより、制御部５は会員ＩＤのデータを暗号化して、これを自動通信実行手段３に送り、自動通信実行手段３は、暗号化された会員ＩＤのデータを電子メールの内容として、携帯情報端末２からターミナルサーバー８に対して送信させる。
【００１６】
尚、上述した実施例にあっては、ＩＤ入力手段としてカードリーダーを用いたが、勿論これに限定されることなく、会員のＩＤを入力することができる他の手段・装置を用いてもよいものである。
【００１７】
【発明の効果】
以上詳述した如く、本発明の携帯情報端末を利用した自動情報送信システムによれば、店舗等のサービス・情報を得たい会員が手軽にかつ正確に電子メールアドレスを伝達させることができ、これにより会員は、所望するサービス・情報を、従来の煩わしい申し込み手続をすることなく容易かつ確実に得ることができ、また店舗等にあっては会員の嗜好等に適合したタイムリーな情報や、店舗利用のクーポンを会員の携帯情報端末に直接電子メール送信することができ、人手とコストを大幅に省いた販売促進、宣伝広告、会員情報の収集等の諸効果を効率よく達成することができるものである。
【図面の簡単な説明】
【図１】本発明の携帯情報端末を利用した自動情報送信システムの第１の実施例を示す説明図である。
【図２】本発明の携帯情報端末を利用した自動情報送信システムにおける携帯情報端末に自動通信実行手段を接続する状態を示す説明図である。
【図３】本発明の携帯情報端末を利用した自動情報送信システムにおけるカードリーダーに会員ＩＤを読み取らせる状態を示す説明図である。
【図４】本発明の携帯情報端末を利用した自動情報送信システムにおける携帯情報端末からターミナルサーバーに暗号化された会員情報を送信する状態を示す説明図である。
【図５】本発明の携帯情報端末を利用した自動情報送信システムにおけるターミナルサーバーから携帯情報端末に電子メールを送信する状態を示す説明図である。
【図６】本発明の携帯情報端末を利用した自動情報送信システムの第２の実施例を示す説明図である。
【符号の説明】
１　会員情報データベース
２　携帯情報端末
３　自動通信実行手段
４　会員カード
５　カードリーダー
６　制御部
７　自動ＩＤ送信装置
８　ターミナルサーバー
９　テンキー・パッド
１０　自動ＩＤ送信装置
【図１】
2004038709.tif 000003
【図２】
2004038709.tif 000004
【図３】
2004038709.tif 000005
【図４】
2004038709.tif 000006
【図５】
2004038709.tif 000007
【図６】
2004038709.tif 000008